(57)【要約】  ｅＮＢ１０−１は、ｅＮＢ１０−２乃至ｅＮＢ１０−４からの高干渉ＲＢ情報を受信するとともに、ＵＥ４０−１の送信電力値を取得する。更に、ｅＮＢ１０−１は、ＵＥ４０−１の送信電力値が送信電力閾値以上である場合には、ＵＥ４０−１に対する高干渉ＲＢの割り当てを制限し、ＵＥ４０−１の送信電力値が送信電力閾値未満である場合には、ＵＥ４０−１に対して高干渉ＲＢを優先的に割り当てる。
2012063837.tif 000002
【特許請求の範囲】
【請求項１】
複数の無線基地局により構成され、前記無線基地局に接続される無線端末に対して周波数リソースを割り当て可能な無線通信システムであって、
第１の無線基地局は、
前記第１の無線基地局において電力が所定の閾値を超えた周波数リソースである高干渉周波数リソースの情報を送信する送信部を備え、
第２の無線基地局は、
前記第１の無線基地局からの前記高干渉周波数リソースの情報を受信する受信部と、
無線端末の送信電力値を取得する取得部と、
前記受信部により受信された前記高干渉周波数リソースの情報と、前記取得部により取得された前記無線端末の送信電力値に基づいて、前記無線端末に対する周波数リソースの割り当てを制御する制御部と
を備える無線通信システム。
【請求項２】
他の無線基地局とともに無線通信システムを構成する無線基地局であって、
前記他の無線基地局からの高干渉周波数リソースの情報を受信する第１の受信部と、
前記高干渉周波数リソースの情報は、前記他の無線基地局において電力が干渉電力閾値を超えた周波数リソースの情報であり、
無線端末の送信電力値を取得する取得部と、
前記第１の受信部により受信された前記高干渉周波数リソースの情報と、前記取得部により取得された前記無線端末の送信電力値に基づいて、前記無線端末に対する周波数リソースの割り当てを制御する制御部と
を備える無線基地局。
【請求項３】
前記制御部は、前記送信電力値が送信電力閾値以上である無線端末に対して、前記高干渉周波数リソースへの割り当てを制限し、前記送信電力値が送信電力閾値未満である無線端末に対して、前記高干渉周波数リソースを優先的に割り当てる請求項２に記載の無線基地局。
【請求項４】
ランダムアクセスチャネルのプリアンブルが第１のグループと第２のグループとに分けられており、前記第１のグループに属するプリアンブルは前記送信電力値が送信電力閾値以上である場合に無線端末によって用いられ、前記第２のグループに属するプリアンブルは前記送信電力値が送信電力閾値未満である場合に無線端末によって用いられ、
前記取得部は、前記無線端末から受信したプリアンブルが、前記第１のグループに属する場合には、前記送信電力値が送信電力閾値以上であると判断し、前記無線端末から受信したプリアンブルが、前記第２のグループに属する場合には、前記送信電力値が送信電力閾値未満であると判断する請求項３に記載の無線基地局。
【請求項５】
前記制御部は、前記無線端末との通信中に、前記高干渉周波数リソースの情報の変化と、前記取得部により取得された前記無線端末の送信電力値の変化とに応じて、前記無線端末に対する周波数リソースの割り当てを制御する請求項２に記載の無線基地局。
【請求項６】
前記干渉電力閾値の変更を要求する情報を前記他の無線基地局へ送信する第１の送信部を備える請求項２に記載の無線基地局。
【請求項７】
自無線基地局において干渉電力が前記干渉電力閾値以上である周波数リソースである高干渉周波数リソースの情報を前記他の無線基地局へ送信する第２の送信部を備える請求項２に記載の無線基地局。
【請求項８】
前記他の無線基地局からの前記干渉電力閾値の変更を要求する情報を受信する第２の受信部と、
前記第２の受信部により受信された前記干渉電力閾値の変更を要求する情報に応じて、前記干渉電力閾値を調整する第１の調整部とを備える請求項２に記載の無線基地局。
【請求項９】
他の無線基地局が新たに追加された場合に、前記干渉電力閾値を大きくする第２の調整部を備える請求項２に記載の無線基地局。
【請求項１０】
他の無線基地局とともに無線通信システムを構成する無線基地局における通信制御方法であって、
前記他の無線基地局からの高干渉周波数リソースの情報を受信するステップと、
前記高干渉周波数リソースの情報は、前記他の無線基地局において電力が所定の閾値以上の周波数リソースの情報であり、
無線端末の送信電力値を取得するステップと、
受信された前記高干渉周波数リソースの情報と、前記取得部により取得された前記無線端末の送信電力値に基づいて、前記無線端末に対する周波数リソースの割り当てを制御するステップと  を備える通信制御方法。
【請求項１１】
第１の無線基地局と第２の無線基地局とを含む無線通信システムにおいて構成されるネットワーク装置であって、
前記第１の無線基地局において、無線端末に割り当てている上り方向の周波数リソースが干渉の高い周波数リソースであるか否かを判定する際に、前記周波数リソースにおける電力と比較される所定の閾値を、前記第１の無線基地局と前記第２の無線基地局との位置関係に応じて調整する調整部を備えるネットワーク装置。
【請求項１２】
前記調整部は、前記第１の無線基地局と前記第２の無線基地局との間の距離が長いほど、前記所定の閾値を大きくする請求項１１に記載のネットワーク装置。
【請求項１３】
第１の無線基地局と第２の無線基地局とを含む無線通信システムにおいて構成されるネットワーク装置であって、
前記第１の無線基地局において、無線端末に割り当てている上り方向の周波数リソースが干渉の高い周波数リソースであるか否かを判定する際に、前記周波数リソースにおける電力と比較される所定の閾値を、前記第２の無線基地局の送信電力を示す指標に応じて調整する調整部を備えるネットワーク装置。
【請求項１４】
前記調整部は、前記指標によって示される前記第２の無線基地局の送信電力が小さいほど、前記所定の閾値を大きくする請求項１３に記載のネットワーク装置。
【請求項１５】
前記調整部は、前記第１の無線基地局が複数である場合に、前記第１の無線基地局毎に、前記所定の閾値を調整する請求項１１又は１３に記載のネットワーク装置。
【請求項１６】
前記調整部は、前記第１の無線基地局が新たに追加された場合に、前記所定の閾値を小さくする請求項１１又は１３に記載のネットワーク装置。
【請求項１７】
前記調整部は、前記第１の無線基地局が複数である場合に、前記第２の無線基地局から最も遠い前記第１の無線基地局と前記第２の無線基地局との距離に応じて、前記所定の閾値を調整する請求項１１に記載のネットワーク装置。
【請求項１８】
前記第１の無線基地局が複数である場合に、前記各第１の無線基地局は、前記第２の無線基地局との距離に応じて複数のグループに分けられ、
前記調整部は、前記グループ毎に、前記所定の閾値を調整する請求項１１に記載のネットワーク装置。
【請求項１９】
第１の無線基地局と第２の無線基地局とを含む無線通信システムにおいて構成されるネットワーク装置における通信制御方法であって、
前記第１の無線基地局において、無線端末に割り当てている上り方向の周波数リソースが干渉の高い周波数リソースであるか否かを判定する際に、前記周波数リソースにおける電力と比較される所定の閾値を、前記第１の無線基地局と前記第２の無線基地局との位置関係に応じて調整するステップを備える通信制御方法。
【請求項２０】
第１の無線基地局と第２の無線基地局とを含む無線通信システムにおいて構成されるネットワーク装置における通信制御方法であって、  前記第１の無線基地局において、無線端末に割り当てている上り方向の周波数リソースが干渉の高い周波数リソースであるか否かを判定する際に、前記周波数リソースにおける電力と比較される所定の閾値を、前記第２の無線基地局の送信電力を示す指標に応じて調整するステップを備える通信制御方法。
【発明の詳細な説明】
【技術分野】
【０００１】
本発明は、複数の無線基地局により構成される無線通信システム、無線基地局、及び、当該無線基地局における通信制御方法に関する。また、本発明は、複数の無線基地局を含む無線通信システムにおいて構成されるネットワーク装置、及び、当該ネットワーク装置における通信制御方法に関する。
【背景技術】
【０００２】
３ＧＰＰ（Third Generation Partnership Project）において、現在、規格策定中のＬＴＥ（Long Term Evolution）に対応する無線通信システムでは、ＬＴＥ基地局（ｅＮＢ）は、無線端末（ＵＥ）に対して、周波数リソースであるリソースブロック（ＲＢ）を割り当てる。  また、ＬＴＥに対応する無線通信システムには、ｅＮＢの間の干渉を低減するために、セル間干渉調整（ＩＣＩＣ：Inter-Cell Interference Coordination）の機能が備えられている（例えば、非特許文献１参照）。ＩＣＩＣでは、ｅＮＢは、他のｅＮＢとの間で、定期的にＬＩ（Load Information）メッセージを交換する。ＬＩメッセージは、干渉に関連する情報（干渉情報）であり、ＯＩ（Overload Indicator）、ＨＩＩ（High Interference Indicator）、ＲＮＴＰＩ（Relative Narrowband Tx Power Indicator）が含まれる。
【先行技術文献】
【非特許文献】
【０００３】
【非特許文献１】3GPP TS 36.300 V9.4.0 (2010-06)
【発明の概要】
【０００４】
ｅＮＢは、ＵＥに対してリソースブロックを割り当てる際に、干渉を低減させることが必要である。しかしながら、現状では、干渉低減のための適切なリソースブロックの割り当てについての基準が存在しない。また、ｅＮＢは、他のｅＮＢからのＬＩメッセージを、リソースブロック割り当てにおける干渉低減のために、必ずしも有効に活用していない。
【０００５】
上記問題点に鑑み、本発明は、無線基地局間の干渉を適切に低減させた周波数リソースの割り当てを可能とした無線通信システム、無線基地局、ネットワーク装置及び通信制御方法を提供することを目的とする。
【課題を解決するための手段】
【０００６】
上述した課題を解決するために、本発明は以下のような特徴を有している。【０００７】
本発明の特徴は、複数の無線基地局（ｅＮＢ１０−１乃至ｅＮＢ１０−４）により構成され、前記無線基地局に接続される無線端末（ＵＥ４０−１、ＵＥ４０−２、ＵＥ４０−３、ＵＥ４０−４）に対して周波数リソースを割り当て可能な無線通信システム（無線通信システム１）であって、第１の無線基地局（ｅＮＢ１０−１）は、前記第１の無線基地局において電力が所定の閾値以上の周波数リソースである高干渉周波数リソースの情報を送信する送信部（無線通信部１０６、ｅＮＢ干渉情報送信処理部１６２）を備え、第２の無線基地局（ｅＮＢ１０−２）は、前記第１の無線基地局からの前記高干渉周波数リソースの情報を受信する受信部（無線通信部１０６、他ｅＮＢ干渉情報受信処理部１５８）と、無線端末の送信電力値を取得する取得部（ＵＥ送信電力値取得部１５６）と、前記受信部により受信された前記高干渉周波数リソースの情報と、前記取得部により取得された前記無線端末の送信電力値に基づいて、前記無線端末に対する周波数リソースの割り当てを制御する制御部（ＲＢ割当制御部１６０）とを備えることを要旨とする。【０００８】
このような無線通信システムでは、第１の無線基地局は、高干渉周波数リソースの情報を送信し、第２の無線基地局は、受信した高干渉周波数リソースの情報と、無線端末の送信電力値とに基づいて、無線端末に対する周波数リソースの割り当てを制御する。従って、第２の無線基地局は、第１の無線基地局が受ける干渉と、無線端末の送信電力値とを考慮して無線端末に対する周波数リソースの割り当てを行うことができ、無線基地局間の干渉を低減させた周波数リソースの割り当てが可能となる。【０００９】
本発明の特徴は、他の無線基地局とともに無線通信システムを構成する無線基地局であって、前記他の無線基地局からの高干渉周波数リソースの情報を受信する第１の受信部（無線通信部１０６、他ｅＮＢ干渉情報受信処理部１５８）と、前記高干渉周波数リソースの情報は、前記他の無線基地局において電力が干渉電力閾値以上の周波数リソースの情報であり、無線端末の送信電力値を取得する取得部（ＵＥ送信電力値取得部１５６）と、前記第１の受信部により受信された前記高干渉周波数リソースの情報と、前記取得部により取得された前記無線端末の送信電力値に基づいて、前記無線端末に対する周波数リソースの割り当てを制御する制御部（ＲＢ割当制御部１６０）とを備えることを要旨とする。【００１０】
本発明の特徴は、前記制御部は、前記送信電力値が送信電力閾値以上である無線端末に対して、前記高干渉周波数リソースへの割り当てを制限し、前記送信電力値が送信電力閾値未満である無線端末に対して、前記高干渉周波数リソースを優先的に割り当てることを要旨とする。【００１１】
本発明の特徴は、ランダムアクセスチャネル（ＰＲＡＣＨ）のプリアンブルが第１のグループと第２のグループとに分けられており、前記第１のグループに属するプリアンブルは前記送信電力値が送信電力閾値以上である場合に無線端末によって用いられ、前記第２のグループに属するプリアンブルは前記送信電力値が送信電力閾値未満である場合に無線端末によって用いられ、前記取得部は、前記無線端末から受信したプリアンブルが、前記第１のグループに属する場合には、前記送信電力値が送信電力閾値以上であると判断し、前記無線端末から受信したプリアンブルが、前記第２のグループに属する場合には、前記送信電力値が送信電力閾値未満であると判断することを要旨とする。【００１２】
本発明の特徴は、前記制御部は、前記無線端末との通信中に、前記高干渉周波数リソースの情報の変化と、前記取得部により取得された前記無線端末の送信電力値の変化とに応じて、前記無線端末に対する周波数リソースの割り当てを制御することを要旨とする。【００１３】
本発明の特徴は、前記干渉電力閾値の変更を要求する情報を前記他の無線基地局へ送信する第１の送信部（無線通信部１０６、干渉電力閾値変更要求情報送信処理部１６４）を備えることを要旨とする。【００１４】
本発明の特徴は、自無線基地局において干渉電力が前記干渉電力閾値以上である周波数リソースである高干渉周波数リソースの情報を前記他の無線基地局へ送信する第２の送信部（無線通信部１０６、ｅＮＢ干渉情報送信処理部１６２）を備えることを要旨とする。【００１５】
本発明の特徴は、前記他の無線基地局からの前記干渉電力閾値の変更を要求する情報を受信する第２の受信部（無線通信部１０６、干渉電力閾値変更要求情報受信処理部１６６）と、前記第２の受信部により受信された前記干渉電力閾値の変更を要求する情報に応じて、前記干渉電力閾値を調整する第１の調整部（干渉電力閾値調整部１６８）戸を備えることを要旨とする。【００１６】
本発明の特徴は、他の無線基地局が新たに追加された場合に、前記干渉電力閾値を大きくする第２の調整部を備えることを要旨とする。【００１７】
本発明の特徴は、他の無線基地局とともに無線通信システムを構成する無線基地局における通信制御方法であって、前記他の無線基地局からの高干渉周波数リソースの情報を受信するステップと、前記高干渉周波数リソースの情報は、前記他の無線基地局において電力が所定の閾値以上の周波数リソースの情報であり、無線端末の送信電力値を取得するステップと、受信された前記高干渉周波数リソースの情報と、前記取得部により取得された前記無線端末の送信電力値に基づいて、前記無線端末に対する周波数リソースの割り当てを制御するステップとを含むことを要旨とする。【００１８】
本発明の特徴は、第１の無線基地局と第２の無線基地局とを含む無線通信システムにおいて構成されるネットワーク装置（ｅＮＢ１０−１乃至ｅＮＢ１０−４、上位ノード２０）であって、前記第１の無線基地局において、無線端末に割り当てている上り方向の周波数リソースが干渉の高い周波数リソースであるか否かを判定する際に、前記周波数リソースにおける電力と比較される所定の閾値（干渉電力閾値）を、前記第１の無線基地局と前記第２の無線基地局との位置関係に応じて調整する調整部（他干渉電力閾値調整部１６４、干渉電力閾値調整部２６４）を備えることを要旨とする。【００１９】
第１の無線基地局は、周波数リソースが干渉の高い周波数リソースであるか否かを判定する。この場合、ネットワーク装置は、第１の無線基地局と第２の無線基地局との位置関係に応じて、判定時に周波数リソースにおける干渉電力と比較される所定の閾値を調整する。これにより、第１の無線基地局が、第２の無線基地局から遠方に存在する場合、換言すれば、第１の無線基地局における干渉の原因が第２の無線基地局と無線端末との通信によるものである可能性が低い場合には、所定の閾値が調整される。このため、第１の無線基地局が、高い干渉であるとみなす可能性を低くし、第２の無線基地局と無線端末との通信による干渉でないにもかかわらず、第１の無線基地局が、第２の無線基地局に対して、干渉が高い周波数リソースの情報を送信してしまうことが防止される。すなわち、第２の無線基地局が、第１の無線基地局における干渉を過剰に考慮して周波数リソースを割り当てることを防止でき、無線基地局間の干渉を適切に低減させた周波数リソースの割り当てが可能となる。【００２０】
本発明の特徴は、前記調整部は、前記第１の無線基地局と前記第２の無線基地局との間の距離が長いほど、前記所定の閾値を大きくすることを要旨とする。【００２１】
本発明の特徴は、第１の無線基地局と第２の無線基地局とを含む無線通信システムにおいて構成されるネットワーク装置（ｅＮＢ１０−１乃至ｅＮＢ１０−４、上位ノード２０）であって、前記第１の無線基地局において、無線端末に割り当てている上り方向の周波数リソースが干渉の高い周波数リソースであるか否かを判定する際に、前記周波数リソースにおける電力と比較される所定の閾値（干渉電力閾値）を、前記第２の無線基地局の送信電力を示す指標に応じて調整する調整部（他干渉電力閾値調整部１６４、干渉電力閾値調整部２６４）を備えることを要旨とする。【００２２】
第１の無線基地局は、周波数リソースが干渉の高い周波数リソースであるか否かを判定する。この場合、ネットワーク装置は、第２の無線基地局の送信電力を示す指標に応じて、判定時に周波数リソースにおける干渉電力と比較される所定の閾値を調整する。これにより、第２の無線基地局の送信電力が低い場合、換言すれば、第１の無線基地局における干渉の原因が第２の無線基地局と無線端末との通信によるものである可能性が低い場合には、所定の閾値が調整される。このため、第１の無線基地局が、高い干渉であるとみなす可能性を低くし、第２の無線基地局と無線端末との通信による干渉でないにもかかわらず、第１の無線基地局が、第２の無線基地局に対して、干渉が高い周波数リソースの情報を送信してしまうことが防止される。すなわち、第２の無線基地局が、第１の無線基地局における干渉を過剰に考慮して周波数リソースを割り当てることを防止でき、無線基地局間の干渉を適切に低減させた周波数リソースの割り当てが可能となる。【００２３】
本発明の特徴は、前記調整部は、前記指標によって示される前記第２の無線基地局の送信電力が小さいほど、前記所定の閾値を大きくすることを要旨とする。【００２４】
本発明の特徴は、前記調整部は、前記第１の無線基地局が複数である場合に、前記第１の無線基地局毎に、前記所定の閾値を調整することを要旨とする。【００２５】
本発明の特徴は、前記調整部は、前記第１の無線基地局が新たに追加された場合に、前記所定の閾値を小さくすることを要旨とする。【００２６】
本発明の特徴は、前記調整部は、前記第１の無線基地局が複数である場合に、前記第２の無線基地局から最も遠い前記第１の無線基地局と前記第２の無線基地局との距離に応じて、前記所定の閾値を調整することを要旨とする。【００２７】
本発明の特徴は、前記第１の無線基地局が複数である場合に、前記各第１の無線基地局は、前記第２の無線基地局との距離に応じて複数のグループに分けられ、前記調整部は、前記グループ毎に、前記所定の閾値を調整することを要旨とする。【００２８】
本発明の特徴は、第１の無線基地局と第２の無線基地局とを含む無線通信システムにおいて構成されるネットワーク装置における通信制御方法であって、前記第１の無線基地局において、無線端末に割り当てている上り方向の周波数リソースが干渉の高い周波数リソースであるか否かを判定する際に、前記周波数リソースにおける電力と比較される所定の閾値を、前記第１の無線基地局と前記第２の無線基地局との位置関係に応じて調整するステップを備えることを要旨とする。【００２９】
本発明の特徴は、第１の無線基地局と第２の無線基地局とを含む無線通信システムにおいて構成されるネットワーク装置における通信制御方法であって、前記第１の無線基地局において、無線端末に割り当てている上り方向の周波数リソースが干渉の高い周波数リソースであるか否かを判定する際に、前記周波数リソースにおける電力と比較される所定の閾値を、前記第２の無線基地局の送信電力を示す指標に応じて調整するステップを備えることを要旨とする。
【図面の簡単な説明】
【００３０】
【図１】図１は、本発明の実施形態に係る無線通信システムの全体概略構成図である。
【図２】図２は、本発明の実施形態に係る無線通信システムにおけるＳ１インタフェースの確立状態を示す図である。
【図３】図３は、本発明の実施形態に係る無線通信システムにおけるＸ２インタフェースの確立状態を示す図である。
【図４】図４は、本発明の実施形態に係るｅＮＢの構成図である。
【図５】図５は、本発明の実施形態に係るＵＥの構成図である。
【図６】図６は、本発明の実施形態に係るｅＮＢによって形成されるセルの内側領域及び外側領域と、プリアンブルとの対応関係を説明する図である。
【図７】図７は、本発明の実施形態に係るＲＢの割当制御の一例を示す図である。
【図８】図８は、本発明の実施形態に係る無線通信システムの第１の動作を示すシーケンス図である。
【図９】図９は、本発明の実施形態に係る無線通信システムの第２の動作を示すシーケンス図である。
【図１０】図１０は、本発明の他の実施形態に係る上位ノードの構成図である。
【発明を実施するための形態】
【００３１】
次に、図面を参照して、本発明の実施形態を説明する。具体的には、無線通信システムの概略構成、ｅＮＢの構成、ＵＥの構成、無線通信システムの動作、作用・効果、その他の実施形態について説明する。以下の実施形態における図面の記載において、同一又は類似の部分には同一又は類似の符号を付している。
【００３２】
（１）無線通信システムの概略構成
図１は、本実施形態に係る無線通信システムの概略構成図である。本実施形態では、無線通信システム１は、ＬＴＥ技術を用いて構成されている。図１に示す無線通信システム１は、ＬＴＥの無線基地局（ｅＮＢ）１０−１、ｅＮＢ１０−２、ｅＮＢ１０−３、ｅＮＢ１０−４と、ＭＭＥ（Mobile Management Entity）、ＳＧＷ（Serving Gateway）、ＯＡＭ（Operation Administration and Maintenance）等の機能を有する上位ノード２０と、ｅＮＢ１０−１乃至ｅＮＢ１０−５と上位ノード２０とを接続するバックホール３０と、無線端末（ＵＥ）４０−１、ＵＥ４０−２、ＵＥ４０−３、ＵＥ４０−４とを含む。
【００３３】
ｅＮＢ１０−１は、セル１１−１を形成する。ＵＥ４０−１は、セル１１−１内に存在する。ｅＮＢ１０−２は、セル１１−２を形成する。ＵＥ４０−２は、セル１１−２内に存在する。ｅＮＢ１０−３は、セル１１−３を形成する。ＵＥ４０−３は、セル１１−３内に存在する。ｅＮＢ１０−４は、セル１１−４を形成する。ＵＥ４０−４は、セル１１−４内に存在する。
【００３４】
ｅＮＢ１０−１は、ＵＥ４０−１に対して、周波数リソースであるリソースブロック（ＲＢ）を割り当て、当該ＵＥ４０−１との間で無線通信を行う。ｅＮＢ１０−２は、ＵＥ４０−２に対して、ＲＢを割り当て、当該ＵＥ４０−２との間で無線通信を行う。ｅＮＢ１０−３は、ＵＥ４０−３に対して、ＲＢを割り当て、当該ＵＥ４０−１との間で無線通信を行う。ｅＮＢ１０−４は、ＵＥ４０−４に対して、ＲＢを割り当て、当該ＵＥ４０−４との間で無線通信を行う。ＬＴＥにおいて、ｅＮＢとＵＥとの間の通信方式は、Ｅ−ＵＴＲＡＮ（Evolved UMTS Terrestrial Radio Access Network）と称される。
【００３５】
図２は、無線通信システム１におけるＳ１インタフェースの確立状態を示す図である。図２において、ｅＮＢ１０−１と上位ノード２０との間には、バックホール３０を介して、トランスポート層の論理的な伝送路であるＳ１インタフェース＃１が確立される。ｅＮＢ１０−２と上位ノード２０との間には、バックホール３０を介して、Ｓ１インタフェース＃２が確立される。ｅＮＢ１０−３と上位ノード２０との間には、バックホール３０を介して、Ｓ１インタフェース＃３が確立される。ｅＮＢ１０−４と上位ノード２０との間には、バックホール３０を介して、Ｓ１インタフェース＃４が確立される。
【００３６】
図３は、無線通信システム１におけるＸ２インタフェースの確立状態を示す図である。図３において、ｅＮＢ１０−１とｅＮＢ１０−２との間には、バックホール３０を介してトランスポート層の論理的な伝送路であるＸ２インタフェース＃１が確立される。ｅＮＢ１０−１とｅＮＢ１０−３との間には、バックホール３０を介してＸ２インタフェース＃２が確立される。ｅＮＢ１０−１とｅＮＢ１０−４との間には、バックホール３０を介してＸ２インタフェース＃３が確立される。ｅＮＢ１０−２とｅＮＢ１０−３との間には、バックホール３０を介してＸ２インタフェース＃４が確立される。ｅＮＢ１０−２とｅＮＢ１０−４との間には、バックホール３０を介してＸ２インタフェース＃５が確立される。ｅＮＢ１０−３とｅＮＢ１０−４との間には、バックホール３０を介してＸ２インタフェース＃６が確立される。
【００３７】
（２）ｅＮＢの構成及びＵＥの構成
図４は、ｅＮＢ１０−１の構成を示す図である。図４に示すｅＮＢ１０−１は、制御部１０２、記憶部１０３、Ｉ／Ｆ部１０４、無線通信部１０６、アンテナ１０８を含む。なお、ｅＮＢ１０−２乃至ｅＮＢ１０−４も、ｅＮＢ１０−１と同様の構成を有する。
【００３８】
制御部１０２は、例えばＣＰＵ（Central Processing Unit）やＤＳＰ（Digital Signal Processor）を用いて構成され、ｅＮＢ１０−１が具備する各種機能を制御する。記憶部１０３は、例えばメモリによって構成され、ｅＮＢ１０−１における制御などに用いられる各種情報を記憶する。
【００３９】
Ｉ／Ｆ部１０４は、バックホール３０に接続されている。無線通信部１０６は、ＲＦ回路、ベースバンド回路等を含み、変調及び復調、符号化及び復号等を行い、アンテナ１０８を介して、ＵＥ４０−１との間で、無線信号の送信及び受信を行う。
【００４０】
制御部１０２は、ＰＲＡＣＨ（Physical Random Access Channel）受信処理部１５２、ＵＥ送信電力値取得部１５６、他ｅＮＢ干渉情報受信処理部１５８、ＲＢ割当制御部１６０、ｅＮＢ干渉情報送信処理部１６２、他ｅＮＢ干渉電力閾値調整部１６４、干渉電力閾値変更要求情報送信処理部１６６、干渉電力閾値変更要求情報受信処理部１６８を含む。
【００４１】
図５は、ＵＥ４０−１の構成を示す図である。図５に示すＵＥ４０−１は、制御部４０２、記憶部４０３、無線通信部４０６、アンテナ４０８を含む。なお、ＵＥ４０−２乃至ＵＥ４０−４も、ＵＥ４０−１と同様の構成を有する。
【００４２】
制御部４０２は、例えばＣＰＵ（Central Processing Unit）やＤＳＰ（Digital Signal Processor）を用いて構成され、ＵＥ４０−１が具備する各種機能を制御する。記憶部４０３は、例えばメモリによって構成され、ｅＮＢ１０−１における制御などに用いられる各種情報を記憶する。
【００４３】
無線通信部４０６は、ＲＦ回路、ベースバンド回路等を含み、変調及び復調、符号化及び復号等を行い、アンテナ４０８を介して、ｅＮＢ１０−１との間で、無線信号の送信及び受信を行う。制御部４０２は、プリアンブル設定部４５２を含む。
【００４４】
以下、ｅＮＢ１０−１による、ＵＥ４０−１に対するＲＢの割り当て制御の処理（第１の処理）と、ｅＮＢ１０−２によるＵＥ４０−２に対するＲＢの割り当て制御、ｅＮＢ１０−３によるＵＥ４０−３に対するＲＢの割り当て制御、及び、ｅＮＢ１０−４によるＵＥ４０−４に対するＲＢの割り当て制御の何れかが行われる場合における、ｅＮＢ１０−１による処理（第２の処理）と、ｅＮＢ１０−１による干渉電力閾値の調整の処理（第３の処理）とを説明する。
【００４５】
（第１の処理）
ＵＥ４０−１の制御部４０２内のＰＲＡＣＨグループ設定部４５２は、ｅＮＢ１０−１に初期接続する際に、ＰＲＡＣＨ内のプリアンブルの中から送信に用いるプリアンブルを設定する。
【００４６】
ここで、ＰＲＡＣＨ内のプリアンブルは、予め２つのグループに分けられており、第１のグループは、ＵＥ４０−１の送信電力値が予め定められた閾値（送信電力閾値）以上である場合に、ＵＥ４０−１が送信するプリアンブルの集合である。第２のグループは、ＵＥ４０−１の送信電力値が送信電力閾値未満である場合に、ＵＥ４０−１が送信するプリアンブルの集合である。
【００４７】
プリアンブル設定部４５２は、ＵＥ４０−１の送信電力値が送信電力閾値以上である場合には、第１のグループに属するプリアンブルを設定する。また、プリアンブル設定部４５２は、ＵＥ４０−１の送信電力値が送信電力閾値未満である場合には、第２のグループに属するプリアンブルを設定する。制御部４０２は、設定されたプリアンブルに対応するＰＲＡＣＨの無線信号を、無線通信部４０６及びアンテナ４０８を介して送信する。
【００４８】
ここで、ＵＥ４０−１の送信電力値は、ｅＮＢ１０−１との距離が長いほど、大きくなるものとする。図６は、ｅＮＢ１０−１によって形成されるセル１１−１の内側領域１２及び外側領域１３と、プリアンブルとの対応関係を説明する図である。ＵＥ４０−１が円形の領域である内側領域１２内に存在する場合には、ＵＥ４０−１の送信電力値は送信電力閾値未満となる。従って、ＵＥ４０−１は、第２のグループに属するプリアンブルを設定し、送信する。一方、ＵＥ４０−１が環状の領域である内側領域１３内に存在する場合には、ＵＥ４０−１の送信電力値は送信電力閾値以上となる。従って、ＵＥ４０−１は、第１のグループに属するプリアンブルを設定し、当該プリアンブルに対応するＰＲＡＣＨの無線信号を送信する。
【００４９】
制御部４０２は、初期状態においては、送信電力閾値未満の送信電力値で無線信号の送信を行う。このため、初期状態においては、プリアンブル設定部４５２は、第２のグループに属するプリアンブルを設定する。この場合、送信電力値が低いために、ｅＮＢ１０−１がプリアンブルに対応するＰＲＡＣＨの無線信号を受信できなかった場合には、ｅＮＢ１０−１はＵＥ４０−１へ応答の無線信号を送信しない。制御部４０２は、応答の無線信号を受信できるまで、徐々に送信電力値を大きくし、プリアンブル設定部４５２は、当該送信電力値に応じたグループに属するプリアンブルを設定する。
【００５０】
ｅＮＢ１０−１の制御部１０２内のＰＲＡＣＨ受信処理部１５２は、ＵＥ４０−１からのプリアンブルに対応するＰＲＡＣＨの無線信号を、アンテナ１０８及び無線通信部１０６を介して受信する。
【００５１】
ＵＥ送信電力値取得部１５６は、受信したＰＲＡＣＨの無線信号に対応するプリアンブルが第１のグループ及び第２のグループの何れに属するかを判定する。ＵＥ送信電力値取得部１５６は、プリアンブルが第１のグループに属する場合には、送信元のＵＥ４０−１の送信電力値が送信電力閾値以上であると判断する。また、ＵＥ送信電力値取得部１５６は、プリアンブルが第２のグループに属する場合には、送信元のＵＥ４０−１の送信電力値が送信電力閾値未満であると判断する。
【００５２】
他ｅＮＢ干渉情報受信処理部１５８は、ｅＮＢ１０−２、ｅＮＢ１０−３、ｅＮＢ１０−４から送信される、高干渉リソースブロック情報（高干渉ＲＢ情報）を、バックホール３０に確立されたＸ２インタフェースと、Ｉ／Ｆ部１０４とを介して受信する。ここで、高干渉ＲＢとは、ｅＮＢがＵＥに割り当てている上り方向のＲＢのうち、電力が予め定められた閾値（干渉電力閾値）以上であるＲＢを意味する。高干渉ＲＢ情報は、高干渉ＲＢであると判断されたＲＢを識別するための情報によって構成される。
【００５３】
他ｅＮＢ干渉情報受信処理部１５８は、ｅＮＢ１０−２、ｅＮＢ１０−３、ｅＮＢ１０−４から送信される、高干渉リソースブロック情報（高干渉ＲＢ情報）を、バックホール３０に確立されたＸ２インタフェースと、Ｉ／Ｆ部１０４とを介して受信する。ここで、高干渉ＲＢとは、ｅＮＢがＵＥに割り当てている上り方向のＲＢのうち、干渉電力が予め定められた閾値（干渉電力閾値）以上であるＲＢを意味する。高干渉ＲＢ情報は、送信元のｅＮＢにおいて高干渉ＲＢであると判断されたＲＢを識別可能な情報を含む。
【００５４】
ＲＢ割当制御部１６０は、受信された高干渉ＲＢ情報に基づいて、各ＲＢ（ＲＢ１乃至ＲＢ５０）毎に、当該ＲＢがｅＮＢ１０−２乃至ｅＮＢ１０−４において高干渉ＲＢと判断されたか否かを示す高干渉フラグを設定する。ＲＢ割当制御部１６０は、ＵＥ４０−１の送信電力値が送信電力閾値以上である場合には、ＵＥ４０−１に対して、高干渉フラグが設定されているＲＢの割り当てを行わず、高干渉フラグが設定されていないＲＢを割り当てる。但し、ＲＢ割当制御部１６０は、高干渉フラグが設定されていないＲＢに、未割り当てのＲＢが存在しない場合には、高干渉フラグが設定されているＲＢを割り当てるようにしてもよい。
【００５５】
一方、ＲＢ割当制御部１６０は、ＵＥ４０−１の送信電力値が送信電力閾値未満である場合には、ＵＥ４０−１に対して、高干渉フラグが設定されているＲＢを、高干渉フラグが設定されていないＲＢよりも優先的に割り当てる。但し、ＲＢ割当制御部１６０は、高干渉フラグが設定されているＲＢに、未割り当てのＲＢが存在しない場合には、高干渉フラグが設定されていないＲＢを割り当てるようにしてもよい。
【００５６】
図７は、ＲＢの割当制御の一例を示す図である。図７においては、ＲＢ２、ＲＢ５及びＲＢ４６は高干渉フラグが設定されていない。従って、ＲＢ割当制御部１６０は、送信電力値が送信電力閾値以上であるＵＥ（高送信電力ＵＥ）４０−１に対して、ＲＢ２、ＲＢ５及びＲＢ４６を割り当て可能と判断する。
【００５７】
ＲＢ割当制御部１６０は、割り当てたＲＢを識別可能な情報を含んだ割当ＲＢ情報を、無線通信部１０６及びアンテナ１０８を介して、ＵＥ４０−１へ送信する。
【００５８】
その後、ｅＮＢ１０−１とＵＥ４０−１とは、ＵＥ４０−１に割り当てられたＲＢを用いて無線通信を開始する。
【００５９】
無線通信が開始された後も、他ｅＮＢ干渉情報受信処理部１５８は、ｅＮＢ１０−２、ｅＮＢ１０−３、ｅＮＢ１０−４から送信される、高干渉リソースブロック情報を、アンテナ１０８及び無線通信部１０６を介して受信する。
【００６０】
ＵＥ送信電力値取得部１５６は、受信したプリアンブルが第１のグループ及び第２のグループの何れに属するかを判定する。ＵＥ送信電力値取得部１５６は、受信したプリアンブルが第１のグループに属する場合には、送信元のＵＥ４０−１の送信電力値が送信電力閾値以上であると判断し、受信したプリアンブルが第２のグループに属する場合には、送信元のＵＥ４０−１の送信電力値が送信電力閾値未満であると判断する。
【００６１】
ＲＢ割当制御部１６０は、受信された高干渉ＲＢ情報に基づいて、各ＲＢ（ＲＢ１乃至ＲＢ５０）毎に、当該ＲＢがｅＮＢ１０−２乃至ｅＮＢ１０−４において高干渉ＲＢと判断されたか否かを示す高干渉フラグを設定する。ＲＢ割当制御部１６０は、ＵＥ４０−１の送信電力値が送信電力閾値以上である場合には、ＵＥ４０−１に対して、高干渉フラグが設定されているＲＢの割り当てを行わず、高干渉フラグが設定されていないＲＢを割り当てる。一方、ＲＢ割当制御部１６０は、ＵＥ４０−１の送信電力値が送信電力閾値未満である場合には、ＵＥ４０−１に対して、高干渉フラグが設定されているＲＢを、高干渉フラグが設定されていないＲＢよりも優先的に割り当てる。
【００６２】
割り当てるＲＢが変化した場合には、ＲＢ割当制御部１６０は、割り当てたＲＢを識別可能な情報を含んだ割当ＲＢ情報を、無線通信部１０６及びアンテナ１０８を介して、ＵＥ４０−１へ送信する。
【００６３】
（第２の処理）
ｅＮＢ干渉情報送信処理部１６２は、ｅＮＢ１０−１に接続しているＵＥ４０−１からの信号を、アンテナ１０８及び無線通信部１０６を介して受信する。更に、ｅＮＢ干渉情報送信処理部１６２は、受信した信号に基づいて、ＵＥ４０−１に割り当てたＲＢのうち、電力が干渉電力閾値以上であるＲＢ（高干渉ＲＢ）の検出を試みる。高干渉ＲＢが検出された場合、ｅＮＢ干渉情報送信処理部１６２は、当該高干渉ＲＢを識別可能な情報を含んだ高干渉ＲＢ情報を生成する。ｅＮＢ干渉情報送信処理部１６２は、生成した高干渉ＲＢ情報を、Ｉ／Ｆ部１０４と、バックホール３０に確立されたＸ２インタフェース（Ｘ２インタフェースがない場合にはＳ１インタフェース）とを介して、ｅＮＢ１０−２、ｅＮＢ１０−３及びｅＮＢ１０−４へ送信する。ｅＮＢ１０−２、ｅＮＢ１０−３及びｅＮＢ１０−４内の制御部１０２は、高干渉ＲＢ情報を受信した場合、上述の第１の処理と同様の処理を行い、ＵＥに対するＲＢの割り当てを制御する。
【００６４】
（第３の処理）
他ｅＮＢ干渉電力閾値調整部１６４は、ｅＮＢ１０−２、ｅＮＢ１０−３及びｅＮＢ１０−４が送信する下り無線信号を、アンテナ１０８及び無線通信部１０６を介して受信する。
【００６５】
他ｅＮＢ干渉電力閾値調整部１６４は、ｅＮＢ１０−１と、受信した下り無線信号の送信元であるｅＮＢ１０−２、ｅＮＢ１０−３及びｅＮＢ１０−４との距離を算出する。
【００６６】
ここで、ｅＮＢ１０−１以外のｅＮＢ（他ｅＮＢ）がｅＮＢ１０−１に隣接するｅＮＢ（隣接ｅＮＢ）であるとみなす範囲（隣接ｅＮＢ範囲）が、予め設定されている。次に、他ｅＮＢ干渉電力閾値調整部１６４は、ｅＮＢ１０−１と、受信した下り無線信号の送信元であるｅＮＢ１０−２、ｅＮＢ１０−３及びｅＮＢ１０−４との間の伝搬損失（パスロス）を算出する。伝搬損失とは、距離減衰、シャドウィング損失、地物通過損失を含めたものである。
【００６７】
他ｅＮＢ干渉電力閾値調整部１６４は、ｅＮＢ１０−２、ｅＮＢ１０−３及びｅＮＢ１０−４からの下り無線信号である、参照信号（ＳＲＳ）と、当該参照信号の送信電力を含んだ信号とを受信する。次に、他ｅＮＢ干渉電力閾値調整部１６４は、参照信号の電力（受信電力）を測定する。他ｅＮＢ干渉電力閾値調整部１６４は、参照信号の送信電力と、受信電力との差を伝搬損失として検出する。更に、他ｅＮＢ干渉電力閾値調整部１６４は、伝搬損失に基づいて、ｅＮＢ１０−１と、ｅＮＢ１０−２、ｅＮＢ１０−３及びｅＮＢ１０−４との距離を算出する。ここで、算出される距離は、対応する伝搬損失に比例するものとする。
【００６８】
次に、他ｅＮＢ干渉電力閾値調整部１６４は、ｅＮＢ１０−１と、ｅＮＢ１０−２、ｅＮＢ１０−３及びｅＮＢ１０−４との距離と、隣接ｅＮＢ範囲を示す距離とを比較する。更に、他ｅＮＢ干渉電力閾値調整部１６４は、ｅＮＢ１０−１とｅＮＢ１０−２との距離が、隣接ｅＮＢ範囲を示す距離以下である場合には、ｅＮＢ１０−２を隣接ｅＮＢと判定する。同様に、他ｅＮＢ干渉電力閾値調整部１６４は、ｅＮＢ１０−１とｅＮＢ１０−３との距離が、隣接ｅＮＢ範囲を示す距離以下である場合には、ｅＮＢ１０−３を隣接ｅＮＢと判定し、ｅＮＢ１０−１とｅＮＢ１０−４との距離が、隣接ｅＮＢ範囲を示す距離以下である場合には、ｅＮＢ１０−４を隣接ｅＮＢと判定する。なお、隣接ｅＮＢは、距離ではなく、伝搬損失に応じて判定されてもよい。
【００６９】
次に、他ｅＮＢ干渉電力閾値調整部１６４は、記憶部１０３に予め記憶されている干渉電力閾値を読み出す。次に、干渉電力閾値変更要求情報送信処理部１６４は、隣接ｅＮＢ毎に、干渉電力閾値を調整する。具体的には、他ｅＮＢ干渉電力閾値調整部１６４は、ｅＮＢ１０−１と隣接ｅＮＢとの距離が長いほど、当該隣接ｅＮＢに対応する干渉電力閾値が大きくなるように、当該干渉電力閾値を調整する。本実施形態では、他ｅＮＢ干渉電力閾値調整部１６４は、ｅＮＢ１０−１と隣接ｅＮＢとの距離が長いほど、当該隣接ｅＮＢに対応する干渉電力閾値が大きくなるように、当該干渉電力閾値を調整するものとする。なお、干渉電力閾値は、ｅＮＢ１０−１と隣接ｅＮＢとの伝搬損失に応じて調整されてもよい。また、隣接ｅＮＢが、干渉電力閾値の調整を行ってもよい。
【００７０】
また、他ｅＮＢ干渉電力閾値調整部１６４は、新たなｅＮＢが追加された場合に、干渉電力閾値を小さくする調整を行う。例えば、他ｅＮＢ干渉電力閾値調整部１６４は、上位ノード２０によって送信される、新たなｅＮＢが追加されたことを示す情報を、バックホール３０に確立されたＳ１インタフェースと、Ｉ／Ｆ部１０４を介して受信した場合、当該情報に基づいて、新たなｅＮＢが追加されたことを認識できる。
【００７１】
干渉電力閾値変更要求情報送信処理部１６６は、調整後の干渉電力閾値の情報を、Ｉ／Ｆ部１０４及びバックホール３０に確立されたＸ２インタフェース（Ｘ２インタフェースがない場合にはＳ１インタフェース）を介して、隣接ｅＮＢへ送信する。
【００７２】
干渉電力閾値変更要求情報受信処理部１６８は、ｅＮＢ１０−１を隣接ｅＮＢであると判定した他のｅＮＢからの調整後の干渉電力閾値の情報を、バックホール３０に確立されたＸ２インタフェース及びＩ／Ｆ部１０４を介して受信する。
【００７３】
その後、ｅＮＢ干渉情報送信処理部１６２は、干渉電力閾値を、調整後の干渉電力閾値に変更する。なお、干渉電力閾値変更要求情報受信処理部１６８が、複数のｅＮＢのそれぞれからの調整後の干渉電力閾値の情報を受信した場合、ｅＮＢ干渉情報送信処理部１６２は、各調整後の干渉電力閾値の平均値、最大値、最小値等を求め、干渉電力閾値を、その求めた値に変更してもよい。
【００７４】
更に、ｅＮＢ干渉情報送信処理部１６２は、ＵＥ４０−１からの信号に基づいて、ＵＥ４０−１に割り当てたＲＢのうち、電力が調整後の干渉電力閾値以上であるＲＢ（高干渉ＲＢ）の検出を試みる。高干渉ＲＢが検出された場合には、上述と同様に、ｅＮＢ干渉情報送信処理部１６２は、当該高干渉ＲＢを識別可能な情報を含んだ高干渉ＲＢ情報を生成する。ｅＮＢ干渉情報送信処理部１６２は、生成した高干渉ＲＢ情報を、Ｉ／Ｆ部１０４と、バックホール３０に確立されたＸ２インタフェース（Ｘ２インタフェースがない場合にはＳ１インタフェース）とを介して、ｅＮＢ１０−２、ｅＮＢ１０−３及びｅＮＢ１０−４へ送信する。
【００７５】
（３）無線通信システムの動作
図８は、無線通信システム１の第１の動作を示すシーケンス図である。図８に示す第１の動作は、上述した第１の処理及び第２の処理に対応する。
【００７６】
ステップＳ１０１において、ｅＮＢ１０−２内の制御部１０２は、当該ｅＮＢ１０−２に接続しているＵＥ４０−２からの無線信号を受信する。更に、ｅＮＢ１０−２内の制御部１０２は、受信した無線信号に基づいて、ＵＥ４０−１に割り当てたＲＢのうち、高干渉ＲＢを検出する。ｅＮＢ１０−３内の制御部１０２及びｅＮＢ１０−４内の制御部１０２も同様の処理を行う。
【００７７】
ステップＳ１０２において、ｅＮＢ１０−２内の制御部１０２は、高干渉ＲＢ情報をｅＮＢ１０−１へ送信する。同様に、ｅＮＢ１０−３内の制御部１０２及びｅＮＢ１０−４内の制御部１０２は、高干渉ＲＢ情報をｅＮＢ１０−１へ送信する。ｅＮＢ１０−１内の制御部１０２は、ｅＮＢ１０−２乃至ｅＮＢ１０−４からの高干渉ＲＢ情報を受信する。
【００７８】
ステップＳ１０３において、ＵＥ４０−１内の制御部４０２は、当該ＵＥ４０−１の送信電力値が送信電力閾値以上である場合には、第１のグループに属するプリアンブルを設定し、当該ＵＥ４０−１の送信電力値が送信電力閾値未満である場合には、第２のグループに属するプリアンブルを設定する。
【００７９】
ステップＳ１０４において、ＵＥ４０−１内の制御部４０２は、設定されたプリアンブルに対応するＰＲＡＣＨの無線信号をｅＮＢ１０−１へ送信する。ｅＮＢ１０−１内の制御部１０２は、ＰＲＡＣＨの無線信号を受信する。
【００８０】
ステップＳ１０５において、ｅＮＢ１０−１内の制御部１０２は、ＰＲＡＣＨの無線信号に対応するプリアンブルが第１のグループ及び第２のグループの何れに属するかを判定する。
【００８１】
ステップＳ１０６において、ｅＮＢ１０−１内の制御部１０２は、プリアンブルが第１のグループに属する場合には、ＵＥ４０−１の送信電力値が送信電力閾値以上であると判断し、プリアンブルが第２のグループに属する場合には、ＵＥ４０−１の送信電力値が送信電力閾値未満であると判断する。
【００８２】
ステップＳ１０７において、ｅＮＢ１０−１内の制御部１０２は、ＵＥ４０−１の送信電力値が送信電力閾値以上である場合、ＵＥ４０−１に対して、ｅＮＢ１０−２乃至ｅＮＢ１０−４から受信した高干渉ＲＢ情報によって示される高干渉ＲＢの割り当てを制限する。一方、ｅＮＢ１０−１内の制御部１０２は、ＵＥ４０−１の送信電力値が送信電力閾値未満である場合、ＵＥ４０−１に対して、ｅＮＢ１０−２乃至ｅＮＢ１０−４から受信した高干渉ＲＢ情報によって示される高干渉ＲＢを優先的に割り当てる。
【００８３】
ステップＳ１０８において、割り当てたＲＢを識別可能な情報を含んだ割当ＲＢ情報を、ＵＥ４０−１へ送信する。ＵＥ４０−１は、割当ＲＢ情報を受信する。その後、ステップＳ１０９において、ｅＮＢ１０−１とＵＥ４０−１とは、ＵＥ４０−１に割り当てられたＲＢを用いて無線通信を開始する。
【００８４】
ｅＮＢ１０−１とＵＥ４０−１との無線通信が開始された後、ステップＳ１０１乃至１０８の動作が繰り返される。すなわち、ステップＳ１０１において、ｅＮＢ１０−２の制御部１０２、ｅＮＢ１０−３の制御部１０２及びｅＮＢ１０−４内の制御部１０２は、当該ｅＮＢに接続しているＵＥからの無線信号に基づいて、当該ＵＥに割り当てたＲＢのうち、高干渉ＲＢを検出する。更に、ステップＳ１０２において、ｅＮＢ１０−２内の制御部１０２、ｅＮＢ１０−３内の制御部１０２及びｅＮＢ１０−４内の制御部１０２は、高干渉ＲＢ情報をｅＮＢ１０−１へ送信する。ｅＮＢ１０−２乃至ｅＮＢ１０−４からの高干渉ＲＢ情報を受信する。
【００８５】
ステップＳ１０３において、ＵＥ４０−１内の制御部４０２は、当該ＵＥ４０−１の送信電力値が送信電力閾値以上である場合には、第１のグループに属するプリアンブルを設定し、当該ＵＥ４０−１の送信電力値が送信電力閾値未満である場合には、第２のグループに属するプリアンブルを設定する。
【００８６】
ステップＳ１０４において、ＵＥ４０−１内の制御部４０２は、設定されたプリアンブルに対応するＰＲＡＣＨの無線信号をｅＮＢ１０−１へ送信する。ｅＮＢ１０−１内の制御部１０２は、ＰＲＡＣＨの無線信号を受信する。
【００８７】
ステップＳ１０５において、ｅＮＢ１０−１内の制御部１０２は、ＰＲＡＣＨの無線信号に対応するプリアンブルが第１のグループ及び第２のグループの何れに属するかを判定する。
【００８８】
ステップＳ１０６において、ｅＮＢ１０−１内の制御部１０２は、プリアンブルが第１のグループに属する場合には、ＵＥ４０−１の送信電力値が送信電力閾値以上であると判断し、プリアンブルが第２のグループに属する場合には、ＵＥ４０−１の送信電力値が送信電力閾値未満であると判断する。
【００８９】
ステップＳ１０７において、ｅＮＢ１０−１内の制御部１０２は、ＵＥ４０−１の送信電力値が送信電力閾値以上である場合、ＵＥ４０−１に対して、ｅＮＢ１０−２乃至ｅＮＢ１０−４から受信した高干渉ＲＢ情報によって示される高干渉ＲＢの割り当てを制限する。一方、ｅＮＢ１０−１内の制御部１０２は、ＵＥ４０−１の送信電力値が送信電力閾値未満である場合、ＵＥ４０−１に対して、ｅＮＢ１０−２乃至ｅＮＢ１０−４から受信した高干渉ＲＢ情報によって示される高干渉ＲＢを優先的に割り当てる。
【００９０】
図９は、無線通信システム１の第２の動作を示すシーケンス図である。図９に示す第２の動作は、上述した第３の処理に対応する。ここでは、距離を例にとって説明しているが、距離に替えて伝搬損失で処理されるようにしてもよい。
【００９１】
ステップＳ２０１において、ｅＮＢ１０−２、ｅＮＢ１０−３及びｅＮＢ１０−４は、それぞれＵＥに対して下り無線信号を送信している。ｅＮＢ１０−１は、これらの下り無線信号を受信する場合がある。
【００９２】
ｅＮＢ１０−１がｅＮＢ１０−２、ｅＮＢ１０−３及びｅＮＢ１０−４からの下り無線信号を受信した場合、ステップＳ２０２において、ｅＮＢ１０−１内の制御部１０２は、ｅＮＢ１０−１と、ｅＮＢ１０−２、ｅＮＢ１０−３及びｅＮＢ１０−４との距離を算出する。
【００９３】
ステップＳ２０３において、ｅＮＢ１０−１内の制御部１０２は、ｅＮＢ１０−１と、ｅＮＢ１０−２、ｅＮＢ１０−３及びｅＮＢ１０−４との距離に基づいて、隣接ｅＮＢを判定する。ここでは、ｅＮＢ１０−２、ｅＮＢ１０−３及びｅＮＢ１０−４が隣接ｅＮＢと判定されるものとする。
【００９４】
ステップＳ２０４において、ｅＮＢ１０−１内の制御部１０２は、ｅＮＢ１０−２、ｅＮＢ１０−３及びｅＮＢ１０−４毎に、当該ｅＮＢとｅＮＢ１０−１との距離が長いほど、当該ｅＮＢに対応する干渉電力閾値が大きくなるように、干渉電力閾値を調整する。
【００９５】
ステップＳ２０５において、ｅＮＢ１０−１内の制御部１０２は、調整後の干渉電力閾値の情報を、ｅＮＢ１０−２、ｅＮＢ１０−３及びｅＮＢ１０−４へ送信する。ｅＮＢ１０−２内の制御部１０２、ｅＮＢ１０−３内の制御部１０２及びｅＮＢ１０−４内の制御部１０２は、調整後の干渉電力閾値の情報を受信する。
【００９６】
ステップＳ２０６において、ｅＮＢ１０−２内の制御部１０２、ｅＮＢ１０−３内の制御部１０２及びｅＮＢ１０−４内の制御部１０２は、干渉電力閾値を、調整後の干渉電力閾値に変更する。
【００９７】
（４）作用・効果
本発明の実施形態に係る無線通信システム１では、ｅＮＢ１０−１は、ｅＮＢ１０−２乃至ｅＮＢ１０−４からの高干渉ＲＢ情報を受信するとともに、ＵＥ４０−１の送信電力値を取得する。更に、ｅＮＢ１０−１は、ＵＥ４０−１の送信電力値が送信電力閾値以上である場合には、ＵＥ４０−１に対する高干渉ＲＢの割り当てを制限し、ＵＥ４０−１の送信電力値が送信電力閾値未満である場合には、ＵＥ４０−１に対して高干渉ＲＢを優先的に割り当てる。従って、ｅＮＢ１０−１は、ｅＮＢ１０−２乃至ｅＮＢ１０−４が受ける干渉と、ＵＥ４０−１の送信電力値とを考慮して、ｅＮＢ１０−２乃至ｅＮＢ１０−４が受ける干渉が減少するように、ＵＥ４０−１に対してＲＢを割り当てることができる。
【００９８】
また、ｅＮＢ１０−１は、干渉電力閾値以上の干渉を受けているＲＢ（高干渉ＲＢ）が存在する場合、高干渉ＲＢ情報を、ｅＮＢ１０−２乃至ｅＮＢ１０−４へ送信する。従って、ｅＮＢ１０−２乃至ｅＮＢ１０−４は、ｅＮＢ１０−１が受ける干渉が減少するように、ＵＥに対してＲＢを割り当てることができる。
【００９９】
また、ｅＮＢ１０−１は、下り無線信号の送信元であって隣接ｅＮＢであるｅＮＢ１０−２、ｅＮＢ１０−３及びｅＮＢ１０−４との距離を算出する。更に、ｅＮＢ１０−１は、ｅＮＢ１０−１と隣接ｅＮＢとの距離が長いほど、当該隣接ｅＮＢに対応する干渉電力閾値が大きくなるように、当該干渉電力閾値を調整する。これにより、隣接ｅＮＢがｅＮＢ１０−１から遠方に存在する場合、換言すれば、隣接ｅＮＢが、ｅＮＢ１０−１から遠方に存在する場合、換言すれば、隣接ｅＮＢにおける干渉の原因がｅＮＢ１０−１とＵＥ４０−１との通信によるものである可能性が低い場合には、干渉電力閾値が調整される。このため、隣接ｅＮＢが、高い干渉であるとみなす可能性を低くし、ｅＮＢ１０−１とＵＥ４０−１との通信による干渉でないにもかかわらず、隣接ｅＮＢが、ｅＮＢ１０−１に対して、高干渉ＲＢ情報を送信してしまうことが防止される。すなわち、ｅＮＢ１０−１が、隣接ｅＮＢにおける干渉を過剰に考慮してＲＢを割り当てることを防止でき、ｅＮＢ間の干渉を適切に低減させたＲＢの割り当てが可能となる。
【０１００】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０１】
上述した実施形態では、ｅＮＢ１０−１が、干渉電力閾値の調整の処理（第３の処理）を行うようにした。しかし、上位ノード２０が、干渉電力閾値の調整の処理を行うようにしてもよい。
【０１０２】
図１０は、干渉電力閾値の調整の処理を行う上位ノード２０の構成を示す図である。図１０に示す上位ノード２０は、制御部２０２、記憶部２０３、Ｉ／Ｆ部２０４を含む。
【０１０３】
制御部２０２は、例えばＣＰＵ（Central Processing Unit）やＤＳＰ（Digital Signal Processor）を用いて構成され、上位ノード２０が具備する各種機能を制御する。記憶部２０３は、例えばメモリによって構成され、ｅＮＢ１０−１における制御などに用いられる各種情報を記憶する。Ｉ／Ｆ部２０４は、バックホール３０に接続されている。
【０１０４】
制御部２０２は、ｅＮＢ干渉電力閾値調整部２６４、干渉電力閾値変更要求情報送信処理部２６６を含む。上位ノード２０が、ｅＮＢ１０−１に代わって、ｅＮＢ１０−２乃至ｅＮＢ１０−４において用いられる干渉電力閾値を調整する場合には、以下の処理が行われる。
【０１０５】
ｅＮＢ干渉電力閾値調整部２６４は、既知であるｅＮＢ１０−１の位置、ｅＮＢ１０−２の位置、ｅＮＢ１０−３の位置及びｅＮＢ１０−４の位置に基づいて、ｅＮＢ１０−１と、受信した下り無線信号の送信元であるｅＮＢ１０−２、ｅＮＢ１０−３及びｅＮＢ１０−４との距離を算出する。
【０１０６】
ｅＮＢ干渉電力閾値調整部２６４は、ｅＮＢ１０−１に対応する隣接ｅＮＢ範囲を、予め設定する。隣接ｅＮＢ範囲は、ｅＮＢ１０−１を中心とする所定範囲の領域であり、ｅＮＢ１０−１からの距離を示す。
【０１０７】
次に、ｅＮＢ干渉電力閾値調整部２６４は、ｅＮＢ１０−１と、ｅＮＢ１０−２、ｅＮＢ１０−３及びｅＮＢ１０−４との距離と、隣接ｅＮＢ範囲を示す距離とを比較する。更に、ｅＮＢ干渉電力閾値調整部２６４は、ｅＮＢ１０−１とｅＮＢ１０−２との距離が、隣接ｅＮＢ範囲を示す距離以下である場合には、ｅＮＢ１０−２を隣接ｅＮＢと判定する。同様に、ｅＮＢ干渉電力閾値調整部２６４は、ｅＮＢ１０−１とｅＮＢ１０−３との距離が、隣接ｅＮＢ範囲を示す距離以下である場合には、ｅＮＢ１０−３を隣接ｅＮＢと判定し、ｅＮＢ１０−１とｅＮＢ１０−４との距離が、隣接ｅＮＢ範囲を示す距離以下である場合には、ｅＮＢ１０−４を隣接ｅＮＢと判定する。
【０１０８】
次に、ｅＮＢ干渉電力閾値調整部２６４は、記憶部２０３に予め記憶されている干渉電力閾値を読み出す。次に、干渉電力閾値変更要求情報送信処理部２６６は、隣接ｅＮＢ毎に、干渉電力閾値を調整する。具体的には、ｅＮＢ干渉電力閾値調整部２６４は、ｅＮＢ１０−１と隣接ｅＮＢとの距離が長いほど、当該隣接ｅＮＢに対応する干渉電力閾値が大きくなるように、当該干渉電力閾値を調整する。
【０１０９】
干渉電力閾値変更要求情報送信処理部２６６は、調整後の干渉電力閾値の情報を、Ｉ／Ｆ部１０４及びバックホール３０に確立されたＳ１インタフェースを介して、隣接ｅＮＢへ送信する。
【０１１０】
また、上述した実施形態では、ｅＮＢ１０−１や上位ノード２０は、ｅＮＢ１０−１とｅＮＢ１０−２乃至ｅＮＢ１０−４との距離に基づいて、干渉電力閾値を調整した。
【０１１１】
しかし、ｅＮＢ１０−１や上位ノード２０は、ｅＮＢ１０−１の送信電力を示す指標に基づいて、干渉電力閾値を調整してもよい。例えば、ｅＮＢ１０−１や上位ノード２０は、ｅＮＢ１０−１の送信電力が小さいほど、隣接ｅＮＢに対応する干渉電力閾値を大きくするようにしてもよい。あるいは、ｅＮＢ１０−１や上位ノード２０は、ｅＮＢ１０−１から隣接ｅＮＢまでの間の伝搬損失が大きいほど、当該隣接ｅＮＢに対応する干渉電力閾値を小さくするようにしてもよい。
【０１１２】
また、上述した実施形態では、ｅＮＢ１０−１は、隣接ｅＮＢ毎に、干渉電力閾値を調整した。しかし、ｅＮＢ１０−１は、隣接ｅＮＢのうち、ｅＮＢ１０−１から最も遠いｅＮＢとの距離に基づいて、干渉電力閾値を調整し、１つの調整後の干渉電力閾値の情報を、全ての隣接ｅＮＢへ送信するようにしてもよい。また、ｅＮＢ１０−１は、隣接ｅＮＢを、ｅＮＢ１０−１からの距離に応じて、複数のグループに分け、各グループ毎に、干渉電力閾値を調整してもよい。
【０１１３】
また、上述した実施形態では、無線通信システム１は、ＬＴＥ技術を採用したが、他の無線通信技術を用いた無線通信システムにおいても、同様に本発明を適用できる。  このように本発明は、ここでは記載していない様々な実施形態等を包含するということを理解すべきである。したがって、本発明はこの開示から妥当な請求の範囲の発明特定事項によってのみ限定されるものである。
【０１１４】
なお、日本国特許出願第２０１０−２５２３４６号（２０１０年１１月１０日出願）及び日本国特許出願第２０１０−２５２３４８号（２０１０年１１月１０日出願）の全内容が、参照により、本願明細書に組み込まれている。
【産業上の利用可能性】
【０１１５】
本発明によれば、無線基地局間の干渉を適切に低減させた周波数リソースの割り当てが可能となる。
【図１】
2012063837.tif 000003
【図２】
2012063837.tif 000004
【図３】
2012063837.tif 000005
【図４】
2012063837.tif 000006
【図５】
2012063837.tif 000007
【図６】
2012063837.tif 000008
【図７】
2012063837.tif 000009
【図８】
2012063837.tif 000010
【図９】
2012063837.tif 000011
【図１０】
2012063837.tif 000012
【国際調査報告】
2012063837.tif 000013
2012063837.tif 000014
2012063837.tif 000015
2012063837.tif 000016
2012063837.tif 000017
2012063837.tif 000018